(57)【特許請求の範囲】
【請求項１】
マーケティング方法であって、当該マーケティング方法は、複数のマーケティング情報と、表示デバイス、ネットワークサーバ及びモバイルデバイスを含むクラウドシステムとを組み合わせ、以下のステップ：
前記ネットワークサーバが、ビデオ情報と少なくとも１つのマーケティング情報に対応する認識情報とを含む、処理されたビデオ情報を受信するステップと、
前記モバイルデバイスが、前記モバイルデバイスにアプリケーションソフトウェアをインストールするステップと、
前記表示デバイスが、前記処理されたビデオ情報を前記表示デバイスに表示するステップと、
前記処理されたビデオ情報を表示する間、前記ネットワークサーバが、前記モバイルデバイス、前記ネットワークサーバ及び前記表示デバイスを同期させるステップと、
前記処理されたビデオ情報を表示する間、前記モバイルデバイスが、認識情報を取得するため、前記アプリケーションソフトウェアと前記モバイルデバイスの検出モジュールとを利用するステップと、
前記モバイルデバイスが、前記認識情報に従って、前記マーケティング情報に対応する検索結果を取得するため、前記ネットワークサーバを利用するステップと、を有し、
前記処理されたビデオ情報は、前記認識情報に従って、前記ビデオ情報に対応する複数のフレーム信号を番号付けすることによる第１の形式において形成され、
前記ネットワークサーバは、前記第１の形式に基づいて前記同期させるステップを実行する、
マーケティング方法。
【請求項２】
前記検出モジュールは光学的認識モジュールであって、前記モバイルデバイス、前記ネットワークサーバ及び前記表示デバイスが同期している間、前記処理されたビデオ情報の前記複数のフレーム信号を検索する、請求項１記載のマーケティング方法。
【請求項３】
前記処理されたビデオ情報は、さらに、
前記ビデオ情報に対応する複数のフレーム信号のうち１つを選択し、前記認識情報と前記複数のフレーム信号のうち１つとを組み合わせることによる第２の形式において形成される、請求項１記載のマーケティング方法。
【請求項４】
前記認識情報は、光学的認識情報、音声認識情報、無線周波数認識情報又は地理的認識情報として実現される、請求項３記載のマーケティング方法。
【請求項５】
前記検出モジュールは、光学的認識モジュール、音声認識モジュール、無線周波数認識モジュール又は地理的認識モジュールとして実現される、請求項４記載のマーケティング方法。
【請求項６】
前記モバイルデバイスに前記アプリケーションソフトウェアをインストールする前記ステップは：前記モバイルデバイスが、前記モバイルデバイスと前記表示デバイスとを同期させるステップを含む、請求項１記載のマーケティング方法。
【請求項７】
前記処理されたビデオ情報を前記表示デバイスに表示する前記ステップは：前記表示デバイスが、スケジュールされた情報に従って、前記処理されたビデオ情報を前記表示デバイスに表示するステップを含む、請求項１記載のマーケティング方法。
【請求項８】
前記スケジュールされた情報は、スケジュールされたタイミング情報とスケジュールされた位置情報とを含み、そうして前記処理されたビデオ情報は、複数のスケジュールされた位置と同様に複数のスケジュールされたタイミングで表示されるようになる、請求項７記載のマーケティング方法。
【請求項９】
前記処理されたビデオ情報を表示する間、前記認識情報を取得するため、前記アプリケーションソフトウェアと前記モバイルデバイスの検出モジュールとを利用する前記ステップは：前記モバイルデバイスが、前記モバイルデバイスのタッチ操作又は位置変更操作を処理し、前記認識情報を検索するため前記検出モジュールを駆動するステップを含む、請求項１記載のマーケティング方法。
【請求項１０】
前記処理されたビデオ情報を表示する間、前記認識情報を取得するため、前記アプリケーションソフトウェアと前記モバイルデバイスの検出モジュールとを利用する前記ステップは：前記モバイルデバイスが、複数の認識情報を同時に取得するステップを含む、請求項９記載のマーケティング方法。
【請求項１１】
前記ネットワークサーバが、前記検索結果に応じてユーザデータベースをセットアップし、対応して、前記マーケティング情報のマーケット反応結果を取得するステップを更に含む、請求項１記載のマーケティング方法。
【請求項１２】
前記検索結果は前記クラウドシステムに接続された他のコンピュータシステム、他の表示デバイス、又は、他のネットワークサーバに供給され、前記ユーザデータベース又は前記マーケット反応結果にアクセスする、請求項１１記載のマーケティング方法。
【請求項１３】
表示デバイス、ネットワークサーバ及びモバイルデバイスを含むクラウドシステムに接続されたコンピュータシステムであって、該コンピュータシステムは：
中央処理ユニットと、
プログラムコードを記憶する前記中央処理ユニットに接続された記憶デバイスであって、前記プログラムコードは前記中央処理ユニットに複数のマーケティング情報と前記クラウドシステムとを組み合わせるマーケティング方法を処理するよう利用され、
前記マーケティング方法は：
ビデオ情報と少なくとも１つのマーケティング情報に対応する認識情報とを含む、処理されたビデオ情報を受信するステップと；
前記モバイルデバイスにアプリケーションソフトウェアをインストールするステップと；
前記処理されたビデオ情報を前記表示デバイスに表示するステップと；
前記処理されたビデオ情報を表示する間、前記モバイルデバイス、前記ネットワークサーバ及び前記表示デバイスを同期させるステップと、
前記処理されたビデオ情報を表示する間、前記認識情報を取得するため、前記アプリケーションソフトウェアと前記モバイルデバイスの検出モジュールとを利用するステップと；
前記認識情報に従って、前記マーケティング情報に対応する検索結果を取得するため、前記ネットワークサーバを利用するステップと、を有し、
前記処理されたビデオ情報は、前記認識情報に従って、前記ビデオ情報に対応する複数のフレーム信号を番号付けすることによる第１の形式において形成され、
前記ネットワークサーバは、前記第１の形式に基づいて前記同期させるステップを実行する、
コンピュータシステム。
【請求項１４】
前記検出モジュールは、前記モバイルデバイス、前記ネットワークサーバ及び前記表示デバイスが同期している間、前記処理されたビデオ情報の複数のフレーム信号を検索する光学的認識モジュールである、請求項１３記載のコンピュータシステム。
【請求項１５】
前記処理されたビデオ情報は、さらに、
前記ビデオ情報に対応する複数のフレーム信号のうちの１つを選択し、前記少なくとも１つの認識情報と前記複数のフレーム信号のうちの１つとを組み合わせることによる第２の形式において形成される、請求項１３記載のコンピュータシステム。
【請求項１６】
前記認識情報は、光学的認識情報、音声認識情報、無線周波数認識情報又は地理的認識情報として実現される、請求項１５記載のコンピュータシステム。
【請求項１７】
前記検出モジュールは、光学的認識モジュール、音声認識モジュール、無線周波数認識モジュール又は地理的認識モジュールとして実現される、請求項１６記載のコンピュータシステム。
【請求項１８】
前記モバイルデバイスに前記アプリケーションソフトウェアをインストールする前記ステップは：前記モバイルデバイスと前記表示デバイスとを同期するステップを含む、請求項１３記載のコンピュータシステム。
【請求項１９】
前記処理されたビデオ情報を前記表示デバイスに表示する前記ステップは：スケジュールされた情報に従って前記処理されたビデオ情報を前記表示デバイスに表示するステップを含む、請求項１３記載のコンピュータシステム。
【請求項２０】
前記スケジュールされた情報はスケジュールされたタイミング情報とスケジュールされた位置情報とを含み、前記処理されたビデオ情報は表示操作を介して、複数のスケジュールされた位置と同様に複数のスケジュールされたタイミングで表示されるようになり、そして、前記表示操作はグループ操作、個別操作及び同期操作を含む、請求項１９記載のコンピュータシステム。
【請求項２１】
前記処理されたビデオ情報を表示する間、前記認識情報を取得するため、前記アプリケーションソフトウェアと前記モバイルデバイスの検出モジュールとを利用するステップは：前記モバイルデバイスのタッチ操作又は位置変更操作を処理するステップであって、前記認識情報を検索する前記検出モジュールを駆動する、ステップを含む、請求項１３記載のコンピュータシステム。
【請求項２２】
前記処理されたビデオ情報を表示する間、前記認識情報を取得するため、前記アプリケーションソフトウェアと前記モバイルデバイスの検出モジュールとを利用するステップは：複数の認識情報を同時に取得するステップを含む、請求項２１記載のコンピュータシステム。
【請求項２３】
前記マーケティング方法は、前記検索結果に応じてユーザデータベースをセットアップするステップであって、対応して、前記マーケティング情報のマーケット反応結果を取得するステップを更に含む、請求項１３記載のコンピュータシステム。
【請求項２４】
前記検索結果は前記クラウドシステムに接続した他のコンピュータ、他の表示デバイス、又は他のネットワークサーバに供給されて、前記ユーザデータベース又は前記マーケット反応結果にアクセスする、請求項２３記載のコンピュータシステム。
【発明の詳細な説明】
【技術分野】
【０００１】
本発明は、クラウドシステムのマーケティング方法及びそのコンピュータシステムに関し、詳しくは、マーケティング情報に相当する処理されたビデオ情報をモバイルデバイスを介して取得するクラウドシステムのマーケティング方法及びそのコンピュータシステムに関する。
【背景技術】
【０００２】
技術の発展に伴い、各種の機能を備えたデジタル製品やコンピュータシステムが人々の日常生活に欠かせなくなってきた。そうした環境のもと、一般の人々の日常的な消費は実際のウインドウショッピングスタイルからバーチャルなショッピングスタイルに変化している。従って、従来のマーケティング戦略は実際のチラシや掲示板から、消費者からより多くの注意をひくため、モバイルデバイスを介したバーチャルなソフトウェアアプリケーションやソーシャルネットワークに変化している。顕著なことには、従来の広告は、メディアと同じく全ての種類のモバイルデバイスを介して、全ての人々に普遍的に公開され、消費者は、プロモータやスポンサーからの広告を受動的に受信する以外に選択肢が無く、消費者が関心のある広告を選択することはできない。製品を宣伝するための従来のマーケティング戦略／手法は、マーケットのタイミング／スペースによって制限されており、改善の余地が大きい。
【０００３】
従って、他の効率的なマーケティング方法及びそのコンピュータシステムを提供することは重要であり、それは適応的に適切なコマーシャルを目的の消費者に提供し、製品供給者からの受動的な／一方的なプロモーションではない。
【先行技術文献】
【特許文献】
【０００４】
【特許文献１】ＵＳ２０１２／０２４６０１２  Ａ１
【発明の概要】
【発明が解決しようとする課題】
【０００５】
従って、本発明の目的は、クラウドシステムのためのマーケティング方法とそのシステムを供給することであり、それは、モバイルデバイスを介して、マーケティング情報に対応する処理されたビデオ情報を取得するものである。
【課題を解決するための手段】
【０００６】
本発明の一実施形態では、複数のマーケティング情報を、表示デバイス、ネットワークサーバ、及び、モバイルデバイスを含むクラウドシステムと組み合わせる、マーケティング方法を開示する。そのマーケティング方法は、処理されたビデオ情報となるビデオ情報を処理するため、少なくともマーケティング情報に対応する認識情報を取得するステップと、アプリケーションソフトウェアをモバイルデバイスにインストールするステップと、その表示デバイス上に処理されたビデオ情報を表示するステップと、その処理されたビデオ情報を表示する間、その認識情報を取得するため、そのアプリケーションソフトウェアとモバイルデバイスの検出モジュールを利用するステップと、その認識情報に応じて、そのマーケティング情報に相当する検索結果を取得するため、ネットワークサーバを利用するステップを有する。
【０００７】
また、本発明の一実施形態では、表示デバイス、ネットワークサーバ、及び、モバイルデバイスを有するクラウドシステムに接続された他のコンピュータシステムを開示する。
そのコンピュータシステムは、中央処理ユニット（ＣＰＵ）と、その中央処理ユニットに接続された、プログラミングコードを記憶する記憶デバイスとを含み、そのプログラミングコードはその中央処理ユニットにマーケティング方法を処理するよう命令するように使用され、複数のマーケティング情報とクラウドシステムとを組み合わせる。そのマーケティング方法は、処理されたビデオ情報となるビデオ情報を処理するため、少なくともマーケティング情報に対応する認識情報を取得するステップと、モバイルデバイスにアプリケーションソフトウェアをインストールするステップと、その処理されたビデオ情報を表示デバイス上に表示するステップと、そのアプリケーションソフトウェアとモバイルデバイスの検出モジュールを使用するステップであって、その処理されたビデオ情報を表示する間、その認識情報を取得するステップと、ネットワークサーバを使用するステップであって、その認識情報に応じて、マーケティング情報に対応する検索結果を取得するステップと、を有する。
【０００８】
本発明のこれらの及び他の目的は、以下の好ましい実施形態に関する詳細な説明を読めば、当該分野の当業者には明白になるであろうが、その実施形態は様々な図面と線図によって例示される。
【図面の簡単な説明】
【０００９】
【図１】図１は、本発明の一実施形態に従ったコンピュータシステムの概略図を示す。
【図２Ａ】図２Ａは、本発明の一実施形態に従った処理されたビデオ情報の形成プロセスに係る概略図を示す。
【図２Ｂ】図２Ｂは、本発明の一実施形態に従った処理されたビデオ情報の形成プロセスに係る概略図を示す。
【図２Ｃ】図２Ｃは、本発明の一実施形態に従った処理されたビデオ情報の形成プロセスに係る概略図を示す。
【図３】図３は、本発明の一実施形態に従った他の処理されたビデオ情報の概略図を示す。
【図４】図４は、本発明の一実施形態に従った他のクラウドシステムの概略図を示す。
【図５】図５は、本発明の一実施形態に従ったマーケティングプロセスのフローチャートを示す。
【発明を実施するための形態】
【００１０】
本発明の明細書及び特許請求の範囲は、或る要素を指し示すのに特別な語を用いてもよく、それは個別の製造者によって名づけられる多様な名称を有してもよい。本発明は、その要素の名称ではなくその機能に応じてその要素を区別する。本明細書及び特許請求の範囲で使用される“含む（ｃｏｍｐｒｉｓｉｎｇ）”の用語は、“含む、又は、オープンエンドであるが、追加の記載されていない要素群や方法ステップ群を除外しない”ことを意味する。加えて、“電気的に結合”や“接続”の用語は、直接的、又は、間接的な方法であれ電気的に接続されることを意味する。従って、“第２デバイスに電気的に結合された、又は、接続された第１デバイス”という記載は、第１デバイスが第２デバイスに直接に結合しているか、又は、他のデバイスや方法によって間接的に接続していることを意味する。
【００１１】
図１を参照すると、本発明の一実施形態に従ったコンピュータシステム１０に係る概略図が示されている。そのコンピュータシステム１０はクラウドシステム１２に接続され、中央処理ユニット１００と記憶デバイス１０２とを含む。その記憶デバイス１０２はプログラミングコードＣＤを保存記憶し、そのプログラミングコードＣＤはマーケティング方法を命令するのに使用され、そうして複数のマーケティング情報とクラウドシステム１２とを結合する。そのコンピュータシステム１０とクラウドシステム１２とは、信号通信を処理する有線／無線の通信方法を使用する。そのクラウドシステム１２は、ネットワークサーバ１２０、表示デバイス１２２、及び、モバイルデバイス１２４を含む。好ましくは、そのネットワークサーバは、複数のマーケティング情報を含む処理されたビデオ情報（不図示）を少なくとも受信するために利用され、そして、そのネットワークサーバ１２０とその表示デバイス１２２は、同様に信号通信を処理する有線／無線の通信方法を利用し、そうして、そのネットワークサーバ１２は処理されたビデオ情報を表示デバイス１２２に送信して表示操作を処理するようになる。そのモバイルデバイス１２４とそのネットワークサーバ１２０は（又は、表示デバイス１２２）、信号通信を処理する他の無線通信方法を使用し、それは本発明の適用範囲を制限することを意図しない。
【００１２】
処理されたビデオ情報のため、製品供給者（不図示）は処理されたビデオ情報を形成するために少なくともマーケティング情報をビデオ情報と結合してもよく、そうして、プロモーションの製品のためのマーケティング操作を処理するようになる。ビデオ情報と処理されたビデオ情報とは複数のフレーム信号を含み、そして、その複数のフレーム信号の夫々はサブジェクト（即ち人）又はオブジェクトと同じくシーンを介して実現される。一実施形態では、ビデオ情報はコマーシャルビデオであり、そのマーケティング情報はそのコマーシャルビデオで宣伝されるプロモーション製品であり、例えばサングラスや日焼けローションである。確かなことに、そのマーケティング情報は、そのコマーシャルビデオの地理的な情報、個人的な情報、又はビジネス情報であってもよく、即ち、製品供給者によって販売／宣伝され得る全ての対象物が本発明の適用範囲内にある。
【００１３】
単純に、そのクラウドシステム１２が処理されたビデオ情報を取得した後、その表示デバイス１２はその処理されたビデオ情報を表示するだろう。従って、ユーザ（不図示）はモバイルデバイス１２４の検出モジュール１２４０を操作し、そうして、その処理されたビデオ情報の少なくとも１つのマーケティング情報を検索するだろう。最後に、モバイルデバイス２４はそのマーケティング情報をネットワークサーバ１２０に再送信し、対応して、そのマーケティング情報の検索結果を取得し、そうして、製品供給者はユーザに対する宣伝操作を終了する。
【００１４】
好ましくは、本発明の実施形態はビデオ情報とマーケティング情報との組合せ方法に制限されず、そして、本明細書では２つの組合せ方法が提供される。図２Ａ乃至２Ｃを参照して、それは本発明の一実施形態に従った、処理されたビデオ情報Ｓ＿ＰＶｉｄｅｏの形成プロセスの概略図を示す。具体的には、図２Ａは本発明のビデオ情報Ｓ＿ＰＶｉｄｅｏを示し、図２Ｂはビデオ情報Ｓ＿ＰＶｉｄｅｏの或るフレームが選択されていることを示し、従って、フレーム信号Ｓ＿Ｆｒａｍｅの或るマーケティング情報Ｓ＿Ｏｂｊｅｃｔ（例えばサングラス）が選択される。次に、認識情報Ｓ＿ＩＤがフレーム信号Ｓ＿Ｆｒａｍｅと組み合わされてマーケティング情報Ｓ＿Ｏｂｊｅｃｔに対応するようになり、そうして、全てのフレーム信号Ｓ＿Ｆｒａｍｅが同じ組合せで処理されるようになる。最後に、図２Ｃは本発明の一実施形態に従った処理されたビデオ情報Ｓ＿ＰＶｉｄｅｏを示しており、そこでは、マーケティング情報Ｓ＿Ｏｂｊｅｃｔは処理されたビデオ情報Ｓ＿ＰＶｉｄｅｏ上に直接的に表されるか、又は、処理されたビデオ情報Ｓ＿ＰＶｉｄｅｏ上に隠され、ユーザがぼんやりとその処理されたビデオ情報Ｓ＿ＰＶｉｄｅｏを観察するのを防ぐことができる。その認識情報Ｓ＿ＩＤは光学的な認識情報であってもよく（例えばＱＲコード（登録商標）のような）、音声認識情報、無線周波数（ＲＦ）認識情報、又は、地理的認識情報であってもよく、それは本発明の適用範囲を制限することを意図しない。従って、認識情報Ｓ＿ＩＤのタイプに基づいて、検出モジュール１２４０は光学的認識モジュール、音声認識モジュール、無線周波数認識モジュール、又は、地理的認識モジュールであってもよく、そうして、検出モジュール１２４０はその認識情報Ｓ＿ＩＤを適応的に認識することができ、認識情報Ｓ＿ＩＤに対応するマーケティング情報Ｓ＿Ｏｂｊｅｃｔを取得するようになる。
【００１５】
好ましくは、図２Ａから図２Ｃに示される全てのフレーム信号Ｓ＿Ｆｒａｍｅは、マーケティング情報Ｓ＿Ｏｂｊｅｃｔの上に重畳された認識情報Ｓ＿ＩＤを有し、そうして、ユーザはそのマーケティング情報Ｓ＿Ｏｂｊｅｃｔを観察した後の反応の良いタイミングを有することになるだろう。確実なことは、当業者は、１つ又は２，３のフレーム信号Ｓ＿Ｆｒａｍｅを適応的に調節することができ、そうして、認識情報Ｓ＿ＩＤを有することができ、又は、認識情報Ｓ＿ＩＤの位置はマーケティング情報Ｓ＿Ｏｂｊｅｃｔで重畳する代わりに、マーケティング情報Ｓ＿Ｏｂｊｅｃｔの近くに変更することができる。追加的に、複数のフレーム信号Ｓ＿Ｆｒａｍｅは様々な認識情報Ｓ＿ＩＤを組み合わせるためにインターレースすることができ、そして、１つ又は多数のフレーム信号Ｓ＿Ｆｒａｍｅが、同時に複数のマーケティング情報Ｓ＿Ｏｂｊｅｃｔ（例えばサングラスや日焼けローションなどのような）をその複数の認識情報Ｓ＿ＩＤと同様に含むことができる。従って、製品供給者は複数のマーケティング情報Ｓ＿Ｏｂｊｅｃｔに対して宣伝操作を処理することができ、従って、ユーザは少なくとも１つの関心のあるマーケティング情報Ｓ＿Ｏｂｊｅｃｔを適応的に選択することができ、それも本発明の適応範囲内である。
【００１６】
図３を参照すると、本発明の一実施形態に従った他の処理されたビデオ情報Ｓ＿ＰＶｉｄｅｏ＿１に係る概略図が示されている。図２Ａ乃至２Ｃの実施形態と比較すると、図３に示されるように、その処理されたビデオ情報Ｓ＿ＰＶｉｄｅｏ＿１はマーケティング情報Ｓ＿Ｏｂｊｅｃｔの上に認識情報Ｓ＿ＩＤを直接的にはオーバーラップしない。代わりに、製品供給者はビデオ情報Ｓ＿ＰＶｉｄｅｏを前処理して、ユーザが関心をもつマーケティング情報Ｓ＿Ｏｂｊｅｃｔを有するようにし、そして、ビデオ情報Ｓ＿ＰＶｉｄｅｏの複数のフレーム信号Ｓ＿Ｆｒａｍｅが番号付けされて処理されたビデオ情報Ｓ＿ＰＶｉｄｅｏ＿１を形成する。例えば、１０で番号付けされたフレーム信号Ｓ＿Ｆｒａｍｅはマーケティング情報Ｓ＿Ｏｂｊｅｃｔを含み、１−９及び１１−３０で番号付けされたフレーム信号Ｓ＿Ｆｒａｍｅはマーケティング情報Ｓ＿Ｏｂｊｅｃｔを含まない。
【００１７】
図４を参照すると、本発明の一実施形態に従った他のクラウドシステム４０に係る概略図が示される。図４に示されるように、クラウドシステム４０は、図１の示されるクラウドシステム１２と比較すると、ネットワークサーバ４００の中に同期モジュール４０００を更に含む。そうした環境のもと、図3に示されるその処理されたビデオ情報Ｓ＿ＰＶｉｄｅｏ＿１が表示されると、ネットワークサーバ４００、モバイルデバイス１２４、及び、表示デバイス１２２は同期される。従って、同期後、ユーザはモバイルデバイス１２４（光学的な認識モジュールのような）の検出モジュール１２４０を使用することができ、そうして、関心のあるマーケティング情報Ｓ＿Ｏｂｊｅｃｔが表示デバイスに表示されたかどうかを判定することができ、そうして、ネットワークサーバ４００にその処理されたビデオ情報Ｓ＿ＰＶｉｄｅｏ＿１がその中に関心のあるマーケティング情報Ｓ＿Ｏｂｊｅｃｔが含んでいるかどうかを知らせる。確かなことに、ユーザの反応の良いタイミングと連携して、本発明の実施形態はまた複数のフレーム信号Ｓ＿Ｆｒａｍｅが同じマーケティング情報Ｓ＿Ｏｂｊｅｃｔを同時に含むかどうかを判定するのに利用されることができ、そうして、ユーザが処理されたビデオ情報Ｓ＿ＰＶｉｄｅｏの如何なるシーン／ピクチャを誤って見逃すことを防ぎ、これは本発明の適用範囲内である。
【００１８】
換言すれば、本発明は処理されたビデオ情報を形成する２つの解決策を提供する。処理されたビデオ情報が認識情報を含む場合、モバイルデバイスは検出モジュールを直接利用してその認識情報が存在するかどうかを認識する。その処理されたビデオ情報が認識情報を含まず、その認識情報に従って連続的に番号付けされる場合、モバイルデバイスと表示デバイスとネットワークサーバとは初めに同期して、そのモバイルデバイスの検出モジュールは利用され、マーケティング情報を認識し、そのビデオ情報からユーザが関心をもつ少なくとも１つのマーケティング情報を取得する。
【００１９】
さらに、本発明の実施形態群はコンピュータシステム１０のためのマーケティング方法を供給し、クラウドシステム１２と４０とを制御し、そして、図５に示されるように本マーケティング方法はマーケティングプロセス５０として要約されてプログラミングコードＣＤとしてコンパイルされる。そのマーケティングプロセス５０は以下のステップを含む。
【００２０】
ステップ５００：スタート。
【００２１】
ステップ５０２：少なくとも１つのマーケティング情報に対応する認識情報を取得し、ビデオ情報を処理されたビデオ情報として処理し、そうしてその処理されたビデオ情報をクラウドシステム１２に送信する。
【００２２】
ステップ５０４：アプリケーションソフトウェアをモバイルデバイス１２４にインストールする。
【００２３】
ステップ５０６：処理されたビデオ情報を表示デバイス１２２上に表示する。
【００２４】
ステップ５０８：アプリケーションソフトウェアとモバイルデバイス１２４の検出モジュール１２４０とを用いて、処理されたビデオ情報を表示する間に、認識情報を取得する。
【００２５】
ステップ５１０：ネットワークサーバ１２０を用いて、認識情報に従って、マーケティング情報に対応する検索結果を取得する。
【００２６】
ステップ５１２：終了。
【００２７】
ステップ５０２では、製品供給者は図２Ａ乃至４に示される実施形態に従って、認識情報をとビデオ情報とを適応的に修正／組合せするか、又は、フレーム信号の数操作を処理し、処理されたビデオ情報を取得し、そうして、その処理されたビデオ情報をクラウドシステム１２のネットワークサーバ１２０に送信する。
【００２８】
ステップ５０４では、ユーザはモバイルデバイス１２４を用いてインターネットにアクセスし、製品供給者によって供給されるネットワークソフトウェアストアからアプリケーションソフトウェアを取得し、そうして、そのアプリケーションソフトウェアをモバイルデバイス１２４にインストールし、そこでは、そのアプリケーションソフトウェアは、ネットワークサーバ１２０を同期するのと同様に認識情報を認識する機能を含む。加えて、本発明の実施形態はアプリケーションソフトウェアの具体化を制限するものではなく、そして、アプリケーションソフトウェアはユーザインターフェースと少なくとも１つのバーチャルボタンを有して設計することができ、そうして、モバイルデバイス１２４の検出モジュール１２４０はそのバーチャルボタンを押すことにより開始されるが、それは本発明の適用範囲を制限することを意図しない。
【００２９】
ステップ５０６では、ネットワークサーバ１２０は処理されたビデオ情報を表示デバイス１２２に送信し、スケジュールされた情報に従って表示する。好ましくは、スケジュールされた情報はスケジュールされた時間情報とスケジュールされた位置情報とを含み、そうして、その処理されたビデオ情報は、製品供給者の様々な要求に従った複数のスケジュールされた位置と同様に複数のスケジュールされたタイミングで１つ以上の表示デバイス１２２に表示される。確かなことは、その処理されたビデオ情報を表示デバイス１２２に表示する方法は適応的に修正し、掲示板やＴＶモールのハードウェア要求に適合することができ、それも本発明も適用範囲内である。さらには、コンピュータシステム１０は他のユーザインターフェースを更に含み、スケジュールされたタイミング情報とスケジュールされた位置情報の調節を供給し、そうして、宣伝される製品の様々な宣伝活動と協働することができ、例えば、公に表示したり、インターネットを通じて、一般にはＴＶ放送のショーで表示する。
【００３０】
ステップ５０８では、ユーザが処理されたビデオ情報を表示すると、彼は、少なくとも１つのそのマーケティング情報と同様に、処理されたビデオ情報を能動的に受信するだろう。そうした環境のもと、ユーザが関心のあるマーケティング情報を観察している間、対応して彼はアプリケーションソフトウェアと検出モジュール１２４０とを開始し、例えば、タッチ操作を処理して、ユーザインターフェースのバーチャルボタンを押して光学認識モジュールを開始し、そうして、マーケット情報に対応する認識情報を処理されたビデオ情報の複数のフレーム信号から取得することができる。加えて、アプリケーションソフトウェアはモバイルデバイス１２４の位置変更操作を利用するように設計することができ、例えば、モバイルデバイス１２４を振って、対応して、光学式認識モジュールを開始し、認識情報を検索することができる。また、検出モジュール１２４０は複数のマーケティング情報に対応する複数の認識情報を、アプリケーションソフトウェアのタッチ操作又は位置変更操作によって、１つ以上のフレーム信号から同時に検索することができるが、それも本発明の適用範囲内である。
【００３１】
ステップ５１０では、少なくとも１つの認識情報を取得した後、モバイルデバイス１２４は無線送信を用いて少なくとも１つの認識情報をネットワークサーバ１２０に送信する。従って、ネットワークサーバ１２０はユーザが関心をもつ少なくとも１つのマーケティング情報が知らされる。実施形態では、ネットワークサーバ１２０はインターネット及び処理ユニット（不図示）に更に接続し、そして、インターネットの検索機能が利用されて、マーケティング情報の対応する検索結果が供給され、そこでは、処理ユニットは製品提供者からの宣伝製品の詳細なリスト情報を含む。例えば、ユーザがサングラスに関心をもち対応してその認識情報を検索する場合、ネットワークサーバ１２０はそのビデオ情報と同様にその認識情報を処理ユニットに送信する。
【００３２】
次に、その処理ユニットは認識情報とビデオ情報との間で分析操作を処理し、そして、そのサングラスに対応するタイプと同様にブランドの関連情報をその詳細なリスト情報から検索することができる。インターネットの検索機能と組み合わせて、サングラスのタイプと同様に値段が取得されてモバイルデバイス１２４を介してユーザに伝達される。そうした環境の下では、ユーザは前もってサングラスのブランドや製品番号を予想／推測する必要がなく、インターネットを介して検索操作を処理する必要がなく、そうして、宣伝製品の認識誤りを防ぎその宣伝製品の正しい検索結果を取得しそこなうことを防ぐ。
【００３３】
顕著なことに、様々な宣伝製品に応じて製品供給者は様々な宣伝操作を利用するだろう。例えば、ビデオ情報は宣伝製品の関係のない情報を更に含むことがあり、例えば地理的情報、個人情報、又は、ビジネス情報である。ユーザが、検索結果と同様に関心のあるマーケティング情報を取得した後、処理ユニットはまた、ユーザに検索結果としてより高い依存度を有する地理的情報、個人情報、又は、ビジネス情報をユーザに供給することができる。例えば、風景位置、スーパースターの個人紹介、ビジネス宣伝活動、又は、クーポンがその検索結果と組み合わされ、同様にユーザに供給される。確かなことには、処理ユニットは記憶ユニット（不図示）を更に含み、そして、各ユーザが彼／彼女の宣伝製品の検索結果を取得した後、個人的な関心と同様に様々なユーザの傾向を記録したユーザデータベースが、複数のマーケティング情報と同じく複数のユーザ情報を含むよう設定され、そうして、製品供給者は直接にそのユーザデータベースを用いて、複数のマーケティング情報の各々に対応するマーケット反応結果を取得するようになる。従って、様々な宣伝活動がそのマーケット反応結果に従って構成され、そして、データマイニング及びビッグデータ解析が処理されるが、それは本発明の適用範囲を制限することを意図しない。
【００３４】
さらに、その実施形態では、マーケティング情報は製品供給者から供給される宣伝動作によって制限されず、そして、ビデオ情報と同様に宣伝情報のコンテンツはコマーシャル活動の範囲内だけに制限されるものではない。換言すれば、本発明のクラウドシステムは単独のモバイルデバイスの概念を超えて広げることができ、そうして、当業者は、様々なユーザ間で情報を共有するため、複数のネットワークサーバに適用される本発明の概念を用いることができるようになり、そうして、インターネット上で議論のゾーン／フォーラムやソーシャルウェッブサイトを立ち上げたりできる。また、様々な広範囲エリアネットワーク（ＷＡＮｓ）を介して、政府や会社が統計データ用に本発明と同じ概念を利用することができ、そして、そこでは従業員は自分のレポートを同様に更新することができるが、それも本発明の適用範囲内である。
【００３５】
要約すると、本発明の実施形態群は、クラウドシステムと同様に複数のマーケティング情報を組み合わせるマーケティング方法を提供し、それは表示デバイス上の認識情報を取得し、対応して、ネットワークサーバにより宣伝される製品の検索結果を取得する。従って、ユーザのインターネットを介したマニュアル操作又は検索操作が顕著に減少することができ、そして、製品供給者は、様々な消費者を満足させるため適切なマーケティング情報を適応的に供給することができ、そうして、宣伝製品の露出（ｅｘｐｏｓｅｄ）マーケットレートを向上することができる。また、消費者は関心のある宣伝製品を正確に受信することができ、マーケティングコストを低下させるだけでなく、宣伝効率を向上することができる。
【００３６】
当業者は、本発明の教示を維持しつつ、本デバイスと方法に関して多数の変更及び改変がなされてもよいことを容易に認識できるだろう。従って、上記の開示は、添付の特許請求の範囲の境界によってのみ制限されるものと解釈されるべきである。
【図１】
0005615954.tif 000002
【図２Ａ】
0005615954.tif 000003
【図２Ｂ】
0005615954.tif 000004
【図２Ｃ】
0005615954.tif 000005
【図３】
0005615954.tif 000006
【図４】
0005615954.tif 000007
【図５】
0005615954.tif 000008